(57)【要約】【課題】入力された音声から非常事態の有無を判別するとともに誤報を低減でき、また、誤った判定による誤報をキャンセルできる通報装置及び通報システムを提供する。【解決手段】入力された音声に基づき通報する通報装置であって、入力文字列が、記憶部に記憶された被照合文字列と一致した場合に、当該被照合文字列に対応する被照合音圧レベルを入力音圧レベルが満たしているか否かを判別する判別部を有することにより、非常事態の有無を適切に判定し、誤報を低減する。また、入力文字列が、記憶部に記憶された被照合文字列と一致した場合に、所定時間を計時し、計時時間内に利用者からの操作があると、計時を停止し、通報をキャンセルすることにより、誤報をキャンセルすることができる。【選択図】図１
2006011872.tif 000002
【特許請求の範囲】
【請求項１】
音声を入力する音声入力部を備え入力された音声に基づき通報する通報装置であって、
前記入力された音声に対して音声認識処理し該音声に対応した入力文字列を出力する認識部と、
前記入力された音声の入力音圧レベルを検出する音圧検出部と、
複数の被照合文字列と該被照合文字列毎に対応する被照合音圧レベルとを予め記憶する記憶部と、
前記入力文字列と前記被照合文字列とを照合する照合部と、
該照合により前記入力文字列が前記被照合文字列と一致した場合に、当該被照合文字列に対応する前記被照合音圧レベルを前記入力音圧レベルが満たしているか否かを判別する判別部と、
前記判別部により入力音圧レベルが被照合音圧レベルを満たしていると判断された場合に通報する通報部と、
を備えたことを特徴とする通報装置。
【請求項２】
前記記憶部に記憶される前記被照合文字列毎に対応する被照合音圧レベルは、
前記被照合文字列に対応付けられた危険度合に応じて設定され、危険度合の高い被照合文字列に対しては低い音圧レベルが設定され、危険度合の低い被照合文字列に対しては高い音圧レベルが設定されることを特徴とした請求項１記載の通報装置。
【請求項３】
さらに、前記判別部にて入力音圧レベルが被照合音圧レベルを満たしていると判断されたときに起動して所定時間計時する計時部と、
該計時部が起動すると報知出力する報知部と、
前記計時部の計時中に操作入力があると前記計時部を停止させる操作部と、
を備え、
前記通報部は、前記計時部が前記所定時間を計時したときに前記通報を行うことを特徴とした請求項１または２に記載の通報装置。
【請求項４】
さらに、前記判別部にて入力音圧レベルが被照合音圧レベルを満たしていると判断されたときに起動して所定時間計時する計時部と、
該計時部が起動すると報知出力する報知部と、
前記計時部の計時中に操作入力があると前記計時部を停止させる操作部と、
を備え、
前記通報部は、前記計時部が起動したときに第一の通報を行い、前記計時部の計時中に操作入力があると前記第一の通報をキャンセルするキャンセル通報を行い、前記計時部が前記所定時間を計時したときに第二の通報を行うことを特徴とした請求項１または２に記載の通報装置。
【請求項５】
利用者が所持する利用者端末と、音声入力部を備え入力された音声に基づき通報する通報装置とを備えた通報システムであって、
前記利用者端末は、
前記通報装置と通信する通信部と、
前記通報装置からの報知信号を受信して報知出力する報知部と、
操作入力があると前記通報装置に操作信号を送出する操作部と、
を備え、
前記通報装置は、
前記入力された音声に対して音声認識処理し該音声に対応した入力文字列を出力する認識部と、
複数の被照合文字列を予め記憶する記憶部と、
前記入力文字列と前記被照合文字列とを照合する照合部と、
該照合により前記入力文字列が前記被照合文字列と一致したことに基づき起動して所定時間計時する計時部と、
前記計時部が前記所定時間を計時すると通報出力する通報部と、
前記計時部が起動すると前記通信部より前記利用者端末に報知信号を出力し、前記計時部の計時中に前記利用者端末から操作信号を受信すると前記計時部を停止させる制御部と、
を備えたことを特徴とした通報システム。
【請求項６】
前記記憶部は、前記複数の被照合文字列毎に対応した被照合音圧レベルを予め記憶し、
前記通報装置は、さらに、
前記入力された音声の入力音圧レベルを検出する音圧検出部と、
前記照合部による照合により前記入力文字列が前記被照合文字列と一致した場合に、該被照合文字列に対応した被照合音圧レベルを前記入力音圧レベルが満たしているか否かを判別する判別部とを備え、
前記計時部は、前記判別部により入力音圧レベルが被照合音圧レベルを満たしていると判断された場合に起動して前記所定時間計時することを特徴とした請求項５記載の通報システム。
【発明の詳細な説明】
【技術分野】
【０００１】
本発明は、入力された音声に基づき通報する通報装置に関し、特に、入力された音声と入力される音圧レベルとの組み合わせにより非常事態を判定して通報することで誤報を低減する通報装置及び通報システムに関する。
また、本発明は、入力された音声に基づき通報する通報装置に関し、誤った判定による誤報をキャンセルできる通報装置及び通報システムに関する。
【背景技術】
【０００２】
従来、通報装置として、非常ボタンの操作により非常事態の発生を外部に通報するものが広く知られるところである。
しかしながら、このような従来の通報装置は、利用者施設において例えば強盗などの非常事態が発生したときに当該強盗により非常ボタンの操作が規制されたり、非常事態の発生時に利用者の気が動転して非常ボタンの存在を失念してしまうことがあり、確実に非常事態を通報できないおそれがあった。
【０００３】
そこで、このような課題を解決するために、特許文献１の通報装置が提案されている。特許文献１には、話者の音声をマイクロホンにて集音、分析して語句に変換し、この入力された語句と、予め登録された危険語句テーブル内の語句とを照合して、一致すれば危険事態と判定して防犯設備に通報出力する通報装置が開示されている。
【特許文献１】特開平９−２５１５８４号公報
【発明の開示】
【発明が解決しようとする課題】
【０００４】
しかしながら、特許文献１の通報装置では、入力された音声（語句）が危険語句テーブル内の語句と一致するだけで危険事態と判定して通報するために、使用する環境などにより誤報してしまう可能性があった。すなわち、利用者がＴＶを鑑賞しているときのＴＶ音声や、保護者が子供を叱責するときの声、又は若者同士の冗談めいた会話などがマイクロホンに入力されると、これらの音声に含まれる語句により誤って危険事態を判定してしまうおそれがあった。
【０００５】
そこで本発明は、上述した課題を解決するために、入力された音声から非常事態の有無を判別するとともに誤報を低減でき、また、誤った判定による誤報をキャンセルできる通報装置及び通報システムを提供する。
【課題を解決するための手段】
【０００６】
上記目的を達成するために本発明による通報装置は、音声を入力する音声入力部を備え入力された音声に基づき通報する通報装置であって、前記入力された音声に対して音声認識処理し該音声に対応した入力文字列を出力する認識部と、前記入力された音声の入力音圧レベルを検出する音圧検出部と、複数の被照合文字列と該被照合文字列毎に対応する被照合音圧レベルとを予め記憶する記憶部と、前記入力文字列と前記被照合文字列とを照合する照合部と、該照合により前記入力文字列が前記被照合文字列と一致した場合に、当該被照合文字列に対応する前記被照合音圧レベルを前記入力音圧レベルが満たしているか否かを判別する判別部と、前記判別部により入力音圧レベルが被照合音圧レベルを満たしていると判断された場合に通報する通報部と、を備えたことを最も主要な特徴とする。
【０００７】
また、好ましくは、前記記憶部に記憶される前記被照合文字列毎に対応する被照合音圧レベルが、前記被照合文字列に対応付けられた危険度合に応じて設定され、危険度合の高い被照合文字列に対しては低い音圧レベルが設定され、危険度合の低い被照合文字列に対しては高い音圧レベルが設定されることを特徴とする。
【０００８】
さらに、好ましくは、更に、前記判別部にて入力音圧レベルが被照合音圧レベルを満たしていると判断されたときに起動して所定時間計時する計時部と、該計時部が起動すると報知出力する報知部と、前記計時部の計時中に操作入力があると前記計時部を停止させる操作部と、を備え、前記通報部は、前記計時部が前記所定時間を計時したときに前記通報を行うことを特徴とする。
【０００９】
また更に、好ましくは、さらに、前記判別部にて入力音圧レベルが被照合音圧レベルを満たしていると判断されたときに起動して所定時間計時する計時部と、該計時部が起動すると報知出力する報知部と、前記計時部の計時中に操作入力があると前記計時部を停止させる操作部と、を備え、前記通報部は、前記計時部が起動したときに第一の通報を行い、前記計時部の計時中に操作入力があると前記第一の通報をキャンセルするキャンセル通報を行い、前記計時部が前記所定時間を計時したときに第二の通報を行うことを特徴とする。
【００１０】
また、本発明による通報システムは、利用者が所持する利用者端末と、音声入力部を備え入力された音声に基づき通報する通報装置とを備えた通報システムであって、前記利用者端末は、前記通報装置と通信する通信部と、前記通報装置からの報知信号を受信して報知出力する報知部と、操作入力があると前記通報装置に操作信号を送出する操作部と、を備え、前記通報装置は、前記入力された音声に対して音声認識処理し該音声に対応した入力文字列を出力する認識部と、複数の被照合文字列を予め記憶する記憶部と、前記入力文字列と前記被照合文字列とを照合する照合部と、該照合により前記入力文字列が前記被照合文字列と一致したことに基づき起動して所定時間計時する計時部と、前記計時部が前記所定時間を計時すると通報出力する通報部と、前記計時部が起動すると前記通信部より前記利用者端末に報知信号を出力し、前記計時部の計時中に前記利用者端末から操作信号を受信すると前記計時部を停止させる制御部と、を備えたことを特徴とする。
【００１１】
さらに、好ましくは、前記記憶部は、前記複数の被照合文字列毎に対応した被照合音圧レベルを予め記憶し、前記通報装置は、さらに、前記入力された音声の入力音圧レベルを検出する音圧検出部と、前記照合部による照合により前記入力文字列が前記被照合文字列と一致した場合に、該被照合文字列に対応した被照合音圧レベルを前記入力音圧レベルが満たしているか否かを判別する判別部とを備え、前記計時部は、前記判別部により入力音圧レベルが被照合音圧レベルを満たしていると判断された場合に起動して前記所定時間計時することを特徴とする。
【発明の効果】
【００１２】
本発明に係る通報装置によれば、入力された音声と音圧レベルとの組み合わせにより非常事態を判定して通報することにより、誤報を低減することができる。また、利用者の使用環境に応じて非常事態と判定する音声及び音圧レベルを設定することができ、利便性が向上する。
【００１３】
特に、危険度の高い音声（文字列）に対しては低い音圧レベルで非常事態を判定し、危険度の低い音声（文字列）に対しては高い音圧レベルの入力でなければ非常事態としないことにより、通常の会話やＴＶ音声などによる誤報を防止しつつ非常事態を判定することが可能となる。
【００１４】
また、本発明にかかる通報装置及び通報システムによれば、非常事態の発生を報知するとともに、操作部の操作により通報をキャンセルすることができるので、誤った判定による誤報を防止することができ、通報の信頼性を向上させることができる。
【発明を実施するための最良の形態】
【００１５】
以下、本発明による通報装置を用いる通報システムの実施形態を図面を用いて詳細に説明する。
図１は、本発明に係る通報システムを示す構成図であり、図２は本発明に係る通報システムを示すブロック図である。
【００１６】
通報システムは、金融機関や商店などの店舗に設置される通報装置１と、利用者が所持する利用者端末２とを無線接続して概略構成される。以下、本実施例においては通報装置１を金融機関店舗１００に設置する例について説明する。
通報装置１は、音声入力部１１から入力された音声と音圧とに基づき非常事態の発生を判定する。このとき、非常事態の判定は、入力された音声の照合、及び、入力音声の音圧レベルが入力音声に対応する音圧レベルを満たすか否かを判別することにより行われる。通報装置１は、非常事態を判定すると利用者端末２に報知信号を送信する。
【００１７】
利用者端末２は、通報装置１が設置された店舗１００の店員などの利用者１０１に所持されている。利用者端末２は、報知信号を受信すると振動などにより非常事態の発生を利用者に報知する。このとき、利用者端末２は、利用者により操作部２３が操作されると通報装置１に操作信号を送出する。
通報装置１は、非常事態の発生を判定した後、所定時間内に利用者端末２から操作信号を受信しなければ、非常事態の発生を確定し通信網３を介して遠隔のセンタ装置４に非常通報信号を送信する。
【００１８】
センタ装置４は、例えば警備保障会社の監視センタ５などに設置され、複数の監視対象に安全確認のサービスを提供する組織により管理運営される。センタ装置４は、通報装置１から通報を受けて、その情報を確認する装置である。監視センタ５では、監視対象に生じた非常事態を確認して、何らかの対処が必要だと判断した場合には、対処員に監視対象への適切な対処を指示する。
また、監視センタ５では、監視対象に生じた非常事態により、必要に応じて１１０番、１１９番通報や、監視対象または所定の緊急連絡先との電話連絡などの処理を行う。
【００１９】
次に、通報装置１の構成を説明する。
通報装置１は、音声を入力する音声入力部１１と、入力された音声を音声認識処理して文字列に置き換える音声認識部１２と、入力された音声の音圧レベルを検出する音圧検出部１３と、照合用に予め登録される複数の被照合文字列と被照合音圧レベルとを対応させて記憶する記憶部１４と、入力された音声より得られた文字列と被照合文字列とを照合する照合部１５と、入力された音声の音圧レベルと被照合音圧レベルとを比較する音圧比較部１６と、小電力無線により利用者端末と通信する通信部１７と、公衆回線網３に接続されてセンタ装置４と通信する通報部１８と、所定時間を計時する計時部１９と、これら各部を制御する制御部１０とから概略構成される。
【００２０】
音声入力部１１は、マイクロホンなどで構成され、店舗１００の天井やカウンターなど利用者１０１及び在来客の音声を集音できる場所に適宜設置される。
音声認識部１２は、音声入力部１１から入力されるアナログ音声信号をＡ／Ｄ変換器にてデジタル信号に変換し、音声認識処理を行うために必要な各種の音声特徴量を抽出する。音声認識部１２は、予め音素や単語などを単位とする標準パターンを用意しており、抽出された音声特徴量とパターンマッチングにより音声を切出して符号の文字列に置き換える。
音圧検出部１３は、音声認識部１２にて抽出された音声特徴量に基づいて入力音声の音圧レベルを計測する。
なお、不要な処理を低減するために、所定音圧レベル以下の微細な音、例えば小声の会話音の音圧レベルに相当する２５ｄＢ未満の音に対しては、音声入力部１１からの音声入力、または、音声認識部１２による音声認識処理を行わないようにしてノイズを除去することが好ましい
【００２１】
記憶部１４には、威嚇や恫喝、悲鳴等に用いられる言葉や音を示す複数の被照合文字列と各被照合文字列毎に設定された危険度合とが互いに対応付けされて非常事態判定テーブル３０として登録されている。図３に、被照合文字列と危険度合とを対応付けた非常事態判定テーブル３０を示す。この非常事態判定テーブル３０に登録される各被照合文字列や危険度合、危険度合に応じた被照合音圧は利用者により任意に登録設定できる。
【００２２】
被照合文字列は、強盗などの非常事態が発生したときに発音が予測される語や音を示す符号の文字列である。なお、図３においては、理解を容易にするよう被照合文字列を日本語で表記している。
非常事態が発生したときに発音が予測される語とは、例えば「騒ぐな」「動くな」「金をだせ」「金をつめろ」「殺す」「通報する」「助けて」などを意味する日本語や外国語である。また更に、非常事態が発生したときに発音が予測される音とは、例えば拳銃の発砲音やガラスの割れる音などである。
【００２３】
危険度合は、被照合文字列を示す音声が入力されたときに非常事態と判定するための被照合音圧レベルを示す度合いであり、低い危険度合は即ち高い被照合音圧レベルを示し、高い危険度合は即ち低い被照合音圧レベルを示す。
例えば、「助けて」や「騒ぐな」など日常的に発声される可能性のある文字列には、低い危険度が設定され、非常事態の判定には高い音圧レベルが必要となる。他方、「金をだせ」「殺す」「通報する」などの非常事態を想到するに足りる文字列には、高い危険度が設定され、低い音圧レベルであっても非常事態が判定されるようになっている。
本実施例において、危険度合はＬｖ１〜Ｌｖ５の５段階で示される。
例えば、最も低い危険度合Ｌｖ１が示す被照合音圧レベルは、大声の会話音に相当する７５ｄＢ以上に設定され、最も高い危険度合Ｌｖ５が示す被照合音圧レベルは、小声の会話音に相当する２５ｄＢ以上に設定される。
【００２４】
照合部１５は、音声認識部１２にて置き換えられた文字列と、記憶部１５の被照合文字列とを照合して入力音声に被照合文字列が含まれているか否かを判定する。
音圧比較部１６は、音圧検出部１３にて検出された入力音声の音圧と、照合部１２にて一致が判定された被照合文字列に対応する被照合音圧レベルとを比較して、入力音声の音圧が被照合音圧レベル以上であるか否かを判定する。
【００２５】
制御部１０は、音圧比較部１６にて入力音声の音圧が被照合音圧レベル以上であると判断されると、非常事態が発生した可能性があるプレ非常事態と判定する。制御部１０は、プレ非常事態と判定すると、計時部１９を起動して所定時間計時し、通信部１７より利用者端末２に報知信号を送信する。ここで、計時部１９が計時する所定時間とは、プレ非常事態が非常事態であると確定されるまでの時間であり、例えば３０秒である。
制御部１０は、計時部１９の計時が所定時間を経過すると、非常事態の発生を確定し、通報部１８からセンタ装置４に非常信号を送信する。また、制御部１０は、計時部１９の計時が所定時間を経過する前に利用者端末２から操作信号を受信すると、計時部１９の作動を停止してリセットし、プレ非常事態の処理を終了する。
【００２６】
次に、利用者端末２の構成について説明する。
利用者端末２は、小電力無線により通報装置１と通信する通信部２１と、利用者に報知出力する報知部２２と、利用者により操作される操作部２３と、所定時間を計時する計時部２４と、これら各部を制御する制御部２０とから概略構成される。
利用者端末２は、店員などの利用者１０１の身体や衣服に取り付けられて利用者に所持されている。
【００２７】
報知部２２は、バイブレータを具備して構成され、このバイブレータを作動させて利用者に報知出力する。
操作部２３は、押しボタンやスライドボタンなどで構成され、ボタン操作により制御部２０に操作出力する。
制御部２０は、通報装置１から報知信号を受信すると、計時部２４を起動して所定時間計時し、報知部２２を作動させる。ここで、計時部２４が計時する所定時間とは、通報装置１がプレ非常事態を判定したことを利用者に報知する時間であり、例えば３０秒である。制御部２０は、この計時部２４が所定時間を計時しているときに、操作部２３から操作出力を受けると、通信部２１より通報装置１に操作信号を送信する。
【００２８】
以下、本実施形態による通報システムの動作を図４に示すフローチャートを参照して詳しく説明する。
通報装置１は、音声入力部１１を作動させて常時音声を集音入力している。ここで、音声入力部１１より音声入力があると（ＳＴ１−Ｙｅｓ）、制御部１０は音声認識部１２を作動させて音声認識処理をして、入力された音声を文字列に置き換え、音圧検出部１３にて音圧レベルを検出する（ＳＴ２）。
【００２９】
次に、置き換えられた文字列と記憶部１４内の被照合文字列とを照合する（ＳＴ３）。被照合文字列との一致が判定されると（ＳＴ３−Ｙｅｓ）、非常事態判定テーブル３０より当該一致が判定された被照合文字列に対応する危険度合を読み出して、対応する被照合音圧レベルと入力された音声の音圧レベルとを比較する（ＳＴ４）。入力された音声の音圧レベルが被照合音圧レベル未満であれば（ＳＴ４−Ｎｏ）、処理を終了してＳＴ１に戻る。
他方、入力された音声の音圧レベルが被照合音圧レベル以上であれば（ＳＴ４−Ｙｅｓ）、制御部１０は、非常事態が発生した可能性があるプレ非常事態と判定する。
これにより、入力された音声の照合と入力音声に対応する音圧レベルの照合とにより非常事態と判定することで、日常会話による誤報を低減してシステムの信頼性を向上させることが可能となる。
【００３０】
制御部１０は、プレ非常事態と判定すると、計時部１９を作動させて所定時間（３０秒）の計時を開始する（ＳＴ５）。また、制御部１０は、通信部１７から利用者端末２に報知信号を送出する（ＳＴ６）。
【００３１】
計時部１９の計時が所定時間（３０秒）を経過すると（ＳＴ７−Ｙｅｓ）、非常事態の発生を確定し、通報部１８からセンタ装置４に非常信号を送信する（ＳＴ８）。
他方、所定時間（３０秒）を計時する前に（ＳＴ７―Ｎｏ）、利用者端末２から操作信号を受信すると（ＳＴ９−Ｙｅｓ）、計時部１９の作動を停止してリセットし（ＳＴ１０）、プレ非常事態の処理を終了する。
これにより、利用者端末２にて通報をキャンセルすることができ、誤った判定による誤報を防止することができる。
【００３２】
以上説明したように、本実施形態による通報システムでは、入力された音声と入力音声に対応する音圧レベルとにより非常事態の発生を判定するので、日常的な会話やＴＶ音声などによる誤判定を低減することができ、システムの信頼性を向上させることが可能となる。
【００３３】
また、入力された音声が危険度の高い音声であれば低い音圧レベルであっても非常事態を判定し、入力された音声が危険度の低い音声であれば高い音圧レベルでなければ非常事態を判定しないようにしたので、日常会話などによる誤報を防止しつつも非常事態発生時には確実に非常事態を判定することができる。
【００３４】
さらに、何らかの要因で誤って非常事態を判定した場合であっても、所定時間通報を保留して非常事態の発生を利用者に報知し、利用者端末２にて通報をキャンセルすることができるので、誤った判定による誤報を防止することができ、信頼性を向上させることができる。
【００３５】
また、非常事態と判定したことを、利用者端末２の報知部２２にてバイブレータにより利用者１０１に報知するので、強盗などの非常事態が発生した場合であっても、通報装置１による非常事態の判定及び通報出力を他人に悟られることなく確認することができる。
【００３６】
なお、本実施形態では、通報装置１と利用者端末２と備えた通報システムについて説明したが、利用者端末２を用いない構成としてもよい。この場合、報知部２２と操作部２３とを通報装置１に具備して構成し、報知部２３をＬＥＤやブザー等で構成することが好ましい。このように構成することで、通報装置１のみで通報システムを実現することができ、通報システムにかかるコストを低減することができる。
【００３７】
また、本実施形態では、音声入力部１１が通報装置１に接続される例について説明したが、音声入力部１１を利用者端末２に接続する構成としてもよい。この場合、音声入力部はピンマイクなどにより利用者１０１の衣服等に取り付けられ、入力された音声の情報は利用者端末２の通信部２１より通報装置１に送信されて通報装置１にて非常事態か否かを判定するようにすることが好ましい。これにより、利用者の発声する音声を確実に音声入力部に入力することができる。
【００３８】
さらに、音声入力部１１、音声認識部１２、音圧検出部１３、記憶部１４、照合部１５、音圧比較部１６、計時部１９とこれらの制御にかかる制御部１０とを利用者端末２に具備する構成としてもよい。この場合、音声入力部より入力された音声により利用者端末２にて非常事態か否かが判定され、非常事態が確定すると利用者端末２の通信部２１より通報装置１に信号を送出して、通報装置１から遠隔のセンタ装置に非常通報するよう構成する。
【００３９】
また更に、本実施形態では、通報装置１の制御部１０は、プレ非常事態と判定すると計時部１９を起動して所定時間計時するとともに利用者端末２に報知信号を送信し、計時部１９の計時が所定時間を経過すると、非常事態の発生を確定し、通報部１８からセンタ装置４に非常信号を送信するよう構成されていたが、これに限定されるものではない。
例えば、通報装置１の制御部１０は、プレ非常事態と判定すると、計時部を起動して所定時間計時し利用者端末２に報知信号を送信するとともに、通報部１８よりセンタ装置４にプレ非常事態を示すプレ非常信号を送信するようにしてもよい。
この場合、通報装置１の制御部１０は、計時が所定時間経過するまでに利用者端末２から操作信号を受信すると、通報部１８よりセンタ装置４にプレ非常事態をキャンセルするキャンセル信号を送信してプレ非常事態の処理を終了する。他方、通報装置１の制御部１０は、計時が所定時間経過すると、通報部１８よりセンタ装置４に非常事態の発生を確定する非常信号を送信する。
監視センタ５では、センタ装置４が受信する各種信号により、監視対象に生じた非常事態又はプレ非常事態を確認して、対処員への対処指示や電話連絡などの処理を行う。
これにより、非常事態が発生した可能性があるプレ非常事態を判定した時点でセンタ装置に通報することができ、非常事態の速報性が向上し、セキュリティ性が向上する。
【図面の簡単な説明】
【００４０】
【図１】本発明に係る通報システムを示す構成図
【図２】本発明に係る通報システムを示すブロック図。
【図３】非常事態判定テーブルを示す図。
【図４】本発明による通報システムの動作を示すフローチャート。
【符号の説明】
【００４１】
１    通報装置
２    利用者端末
３    通信網
４    センタ装置
５    監視センタ
１０  通報装置の制御部
１１  音声入力部
１２  音声認識部
１３  音圧検出部
１４  記憶部
１５  照合部
１６  音圧比較部
１７  通報装置の通信部
１８  通報部
１９  通報装置の計時部
２０  利用者端末の制御部
２１  利用者端末の通信部
２２  報知部
２３  操作部
２４  利用者端末の計時部
３０  非常事態判定テーブル
１００  店舗
１０１  利用者
【図１】
2006011872.tif 000003
【図２】
2006011872.tif 000004
【図３】
2006011872.tif 000005
【図４】
2006011872.tif 000006